(57)【要約】詳細には，その上端にキャップが装着される，旗を掲揚するための旗竿である。旗の横幅程度の長さを有する横棒が前記キャップの下方の旗竿に垂直に接続され，挿入部が旗の上端部に形成され，横棒は，その長さ方向に挿入部を装着するための溝を有する。
2004514924.tif 000002
【特許請求の範囲】
【請求項１】
その上端にキャップが装着される，旗を掲揚するための旗竿において；
前記旗の横幅程度の長さを有する横棒が，前記キャップの下方の旗竿に垂直に接続され，
前記旗の上端部に挿入部が形成され，
前記横棒は，その長さ方向に前記挿入部を装着するための溝を有する，
ことを特徴とする旗竿。
【請求項２】
固定軸が前記旗竿の上端部に近接固定され，パイプ部材の一端が前記横棒の終端に装着され，前記パイプ部材の他端は前記固定軸の周囲に着脱可能に固定されている，ことを特徴とする請求項１に記載の旗竿。
【請求項３】
第１ヒンジ部が前記固定軸の自由終端に形成され，第２ヒンジ部が前記横棒の終端に形成され，スプリングが収容される円周溝が前記第２ヒンジ部の近傍に前記横棒の外周面に沿って形成され，
前記パイプ部材は，前記横棒の周囲に位置する折り畳み位置と，前記横棒と固定シャフトに通常位置する展開位置との間で，スライドするように形成され，
前記パイプ部材は，その内周面に内部フランジが形成され，前記円周溝に収容されたスプリングの一端が内部フランジに係止し，前記パイプ部材が前記スプリングにより展開位置にバイアスするように収容されており，前記固定シャフトの第１ヒンジ部及び前記横棒の第２ヒンジ部は，ヒンジ軸により，前記横棒が前記パイプ部材の操作および動作により前記旗竿から折り畳み及び展開できるように，互いに連結される，
ことを特徴とする請求項１に記載の旗竿。
【請求項４】
ストッパーリングが旗竿の周囲で，リボンを使用して旗の下端部が旗竿の周囲に結び付けられた位置上部に直接固定され，リボンが上方に移動するのが防止され，旗の下端部が旗竿に対して強固に固定される，
ことを特徴とする請求項１に記載の旗竿
【請求項５】
前記旗竿は，複数の管状旗竿部材で，構成され，前記横棒は，前記第２管状旗竿部材に垂直に接続される，ことを特徴とする請求項１，２あるいは３項のうちいずれか１項に記載の旗竿。
【請求項６】
前記横棒は，複数の管状棒部材により構成される，ことを特徴とする請求項１，２，３あるいは４項のうちいずれか１項に記載の旗竿。
【請求項７】
前記ストッパーリングは，前記第２管状旗竿部材の下端部に装着され，前記旗の下端部は，前記第２管状旗竿部材の周囲に，リボンを使用して前記ストッパーリングの下方に直接結び付けられ，前記リボンが上方に移動することが防止され，前記旗の下端部は前記第２管状旗竿部材に対して強固に固定される，ことを特徴とする請求項５に記載の旗竿。
【発明の詳細な説明】
【０００１】
本発明は，旗竿に関し，さらに詳細には，旗竿上端に横棒が垂直に装着され，旗の上端に形成された縁が横棒の長さ方向に沿って形成された溝に装着されるように，従って，旗が旗竿に絡まることを防止し，最初の掲揚時と同様に展開された状態で維持される旗竿に関する。
【０００２】
背景技術
一般的に，特別な行事の際における各種機会に，旗竿に，行事用旗，国旗，各種旗を固定して掲揚している。旗竿に国旗又は旗を固定する最も普通の方法は，旗の側面の上端と下端で縫い合わされた結合リボンを使用することである。
【０００３】
祝日の日や特別な行事の予め設定された期間中に掲揚される旗は，変化する風の状態により，丸まったり，ねじれたり，旗竿に巻き込まれたりする。結果として，周辺領域の美観が損なわれる。このことに関し，巻き込まれた旗を元に戻すためには，多くの労力，作業時間が必要になる。さらに，旗の巻き込みに起因して，短時間で旗が損傷し，あるいは引き裂かれてしまい，従って，新しい旗を準備する必要のために経済的負荷が発生する。
【０００４】
さらに，通常の旗竿は，半旗を掲揚するためにうまく取り付けられない。即ち，記念日や国家的哀悼期間などに，半旗を，折去されたことに対する哀悼の意として掲揚する間，旗を人手により旗竿から解いて，その高さから下方に下ろさなければならず，さらに再び旗竿に結び付けなければならないため，面倒くさいものとなる。
【０００５】
発明の開示
したがって，本発明はかかる従来技術の課題を解決するために案出されたものであって，本発明の目的は，旗竿上端に横棒が垂直に装着され，旗の上端に形成された縁が横棒の長さ方向に沿って形成された溝に装着されるように，従って，旗が旗竿に絡まることを防止し，最初の掲揚時と同様に展開された状態で維持される旗竿を提供することにある。
【０００６】
本発明の他の目的は，旗竿の上端に装着される横棒は着脱可能に装着され，保管が便利な旗竿を提供することにある。
【０００７】
本発明の他の目的は，ストッパーリングが，リボンを使用して旗竿の周囲を固定された旗の下端位置の上部で直接固定されており，リボンが上方に移動することを防止し，従って，旗が完全に展開された状態を維持する旗竿を提供することにある。
【０００８】
さらに，本発明の他の目的は，多段式の管状旗竿部材から構成され，横棒が第２管状旗竿部材の上端部に折り畳み可能に隣接接続され，旗は，最初に掲揚された展開された状態を維持することが可能であり，第２の管状旗竿部材から第１の管状旗竿部材を外部に突出させることにより，半旗を掲揚することが可能な旗竿を提供することにある。
【０００９】
さらに，また，本発明の他の目的は，多段式の管状旗竿部材から構成され，横棒が多段式の管状棒部材から構成され，全旗竿の大きさを小さくすることが可能な旗竿を提供することにある。
【００１０】
上記目的を達成するため，本発明の第１の観点においては，その上端にキャップが装着される，旗を掲揚するための旗竿において；前記旗の横幅程度の長さを有する横棒が前記キャップの下方の旗竿に垂直に接続され，挿入部が前記旗の上端部に形成され，前記横棒は，その長さ方向に前記挿入部を装着するための溝を有する，ことを特徴とする旗竿が提供される。
【００１１】
上記目的を達成するため，本発明の他の観点においては，固定軸が前記旗竿の上端部に近接固定され，パイプ部材の一端が前記横棒の終端に装着され，前記パイプ部材の他端は前記固定軸の周囲に着脱可能に固定されている，ことを特徴とする請求項１に記載の旗竿が提供される。
【００１２】
上記目的を達成するため，本発明の他の観点においては，第１ヒンジ部が前記固定軸の自由終端に形成され，第２ヒンジ部が前記横棒の終端に形成され，スプリングが収容される円周溝が，前記第２ヒンジ部の近傍に，前記横棒の外周面に沿って形成され，前記パイプ部材は，前記横棒の周囲に位置する折り畳み位置と，前記横棒と固定シャフトに通常位置する展開位置との間で，スライドするように形成され，前記パイプ部材は，その内周面に内部フランジが形成され，前記円周溝に収容されたスプリングの一端が内部フランジに係止し，パイプ部材がスプリングにより展開位置にバイアスするように，収容されており，前記固定シャフトの第１ヒンジ部及び横棒の第２ヒンジ部は，ヒンジ軸により，横棒が旗竿からパイプ部材の操作および動作により折り畳み及び展開できるように，互いに連結される，ことを特徴とする請求項１に記載の旗竿が提供される。
【００１３】
上記目的を達成するため，本発明の他の観点においては，ストッパーリングが旗竿の周囲に，リボンを使用して旗の下端部が旗竿の周囲に結び付けられた位置上部に直接固定され，リボンが上方に移動するのが防止され，旗の下端部が旗竿に対して強固に固定される，ことを特徴とする請求項１に記載の旗竿が提供される。
【００１４】
上記目的を達成するため，本発明の他の観点においては，前記旗竿は，複数の管状旗竿部材で，構成され，前記横棒は，前記第２管状旗竿部材に垂直に接続される，ことを特徴とする請求項１，２あるいは３項のうちいずれか１項に記載の旗竿が提供される。
【００１５】
上記目的を達成するため，本発明のさらなる他の観点においては，前記横棒は，複数の管状棒部材により構成される，ことを特徴とする請求項１，２，３あるいは４項のうちいずれか１項に記載の旗竿が提供される。
【００１６】
上記目的を達成するため，本発明のさらなる他の観点においては，前記ストッパーリングは，前記第２管状旗竿部材の下端部に装着され，前記旗の下端部は，前記第２管状旗竿部材の周囲に，前記ストッパーリングの下方に直接結び付けられ，前記リボンが上方に移動することが防止され，前記旗の下端部が前記第２管状旗竿部材に対して強固に固定される，ことを特徴とする請求項５に記載の旗竿が提供される。
【００１７】
本発明を実施するための最良の形態
本発明の好ましい実施の形態を添付図面に記載された例を参考にしてより詳細に説明する。可能な限り，同一符号は，図面及び詳細な説明を通じて同一部分または類似部分を参照して使用する。
【００１８】
図１は，本発明の第１の実施の形態にかかる旗竿を示す斜視図である。本発明の第１の実施の形態にかかる旗竿１０は，旗４０を掲揚するために適合され，その上端部にキャップ１１が装着される。横棒２０は，キャップ１１の下方に旗竿１０に，即ち，旗竿１０の上端部に近接して垂直に接続される。挿入部４１は，旗４０上端部に形成され，横棒２０は，その長さ方向に沿って挿入部４１が装着される溝が形成されている。
【００１９】
例えば，キャップ１１は，むくげの外観を有することができ，旗竿１０の上端部に搭載されている。旗４０は，その旗４０の側面の上端及び下端で旗竿１０の周囲に結び付けられるようにして掲揚される。
【００２０】
横棒２０は，旗４０の幅にほぼ対応するよう長さを有する。横棒２０は，旗４０の挿入部４１を，横棒の長さ方向に形成された溝に装着させる。
【００２１】
ストッパーリング１３は，旗竿の周囲に，リボン４２を使用して旗４０の下端部が旗竿１０の周囲に結び付けられた位置上部に直接固定される。ストッパーリング１３の存在により，リボン４２が上方に移動するのが防止される。したがって，旗４０の下端部は，旗竿１０の上端部側にスライディングすることはないので，旗４０旗竿１０の周囲に纏わり付くことが防止される。
【００２２】
図２は，本発明の第２の実施の形態にかかる旗竿を示す部分拡縦断面図である。固定軸１２は，旗竿１０の上端部に装着される。パイプ部材３０の一端は，横棒２０の終端部の周囲に固定され，パイプ部材３０の他端は，着脱可能に固定軸１２の周囲に固定される。
【００２３】
したがって，パイプ部材３０の一端が横棒２０の終端部の周囲に固定され，パイプ部材３０の他端が支持シャフトとして提供される固定軸１２の周囲に固定されるので，横棒２０は，旗竿１０に垂直に接続される。
【００２４】
固定軸１２から，横棒２０の周囲に固定的に装着されたパイプ部材３０を取り除くことにより，旗竿１０は，簡単に保管できる。
【００２５】
図３は，本発明の第３の実施の形態にかかる旗竿を示す部分拡大斜視図である。図３において，実線は横棒２０が折り畳まれた状態を示し，点線は横棒２０が展開された状態を表す。
【００２６】
第１ヒンジ部は，固定軸１２の自由終端に形成され，第２ヒンジ部２１は，横棒２０の終端に形成されている。スプリング３１が収容される円周溝２２は，第２ヒンジ部２１に近接して，横棒２０の外周面に形成されている。円周溝２２の周囲を覆うパイプ部材３０は，横棒２０の周囲に位置する折り畳み位置と，横棒２０と固定シャフト１２に通常位置する展開位置との間で，スライドするように形成されている。パイプ部材３０は，その内周面に内部フランジ３２が形成され，円周溝２２に収容されたスプリング３１の一端が内部フランジに係止し，パイプ部材３０がスプリング３１により展開位置にバイアスするように，収容されている。固定シャフト１２の第１ヒンジ部及び横軸２０の第２ヒンジ部は，ヒンジ軸により，横軸２０が旗竿１０からパイプ部材３０の操作および動作により折り畳み及び展開できるように，互いに連結される。
【００２７】
即ち，横棒２０は，第１ヒンジ部と第２ヒンジ部２１の媒体により，折り畳み可能に固定軸１２に接続され，それによって，旗竿１０は，使用後に容易に格納できる。
【００２８】
横棒２０が旗竿１０に折り畳まれた場合には，第２ヒンジ部２１に近接して，横棒２０の外周面に形成されている円周溝２２に収容されるスプリング３１は，パイプ部材３０の内周面に形成された内部フランジ３２により圧縮される。
【００２９】
横棒２０が旗竿１０から展開される場合には，パイプ部材３０は，スプリング３１の弾性力により，横棒２０と固定軸１２の周囲に通常位置するように，旗竿１０方向に移動し，このことにより，横棒２０は旗竿１０に対して垂直になるように固定される。
【００３０】
したがって，固定的に横棒２０に装着されたパイプ部材３０がスプリング３１の弾性力により固定軸１２に移動するという事実に起因して，固定軸１２の第１ヒンジ部及び横棒２０の第２ヒンジ部２１は，パイプ部材３０により取り囲まれる。
【００３１】
横棒２０を再び折り畳む必要がある場合には，パイプ部材３０は，固定軸１２の第１ヒンジ部及び横棒２０の第２ヒンジ部２１が外側に露出するように，スプリング３１の弾性力に抗して横棒２０に向けて引かれ，その結果，パイプ部材３０内のスプリング３１は，圧縮される。かかる状態では，第２ヒンジ部２１は，第１ヒンジ部に対するヒンジ軸で回転し，横棒２０は，旗竿１０と平行に折り畳まれる。このとき，パイプ部材３０の他端は，固定軸１２の半径方向に係止されるので，横棒２０は，折り畳み状態を維持する。
【００３２】
図４は，本発明の第３の実施の形態にかかる旗竿を示す部分拡縦断面図である。
図４において，旗竿１０と垂直表示される矢印は，パイプ部材３０の動きを示しており，曲線矢印は，横棒２０が折り畳まれる方向の動きを示している。
【００３３】
パイプ部材３０を直線矢印で示される方向に移動させた状態では，第１ヒンジ部に関するヒンジ軸での第２ヒンジ部２１の回転を介して，横棒２０は，曲線矢印により示される方向に折り畳まれて，旗竿１０と平行に位置する。
【００３４】
第２ヒンジ部２１は，横棒２０の終端に一体形成され，円周溝２２は，横棒２０の外周面に形成され，第２ヒンジ部と近接している。
【００３５】
容易に理解するために，円周溝２２が形成される領域上において，スプリング３１が円周溝２２に収容できるように，横棒２０の直径は，多少小さくされている。
【００３６】
パイプ部材３０は，円周溝２２と共にスプリング３１の周囲を覆う。さらに，パイプ部材３０は，横棒２０と固定軸１２に対してスライディング可能に形成されている。
【００３７】
パイプ部材３０は，その内周面に，内部フランジ３２が形成されており，円周溝に収容されたスプリング３１の一端が内部フランジ３２に係止し，それによって，スプリング３１は復元力を有する。その結果，横棒２０が折り畳まれる際に，スプリング３１は，パイプ部材３０を上方に移動させて，横棒２０が容易に折り畳まれた状態を維持させることができる。
【００３８】
横棒２０が展開された状態では，パイプ部材３０がスプリング３１の復元力により，固定軸１２に固定される旗竿１０まで移動される。このことにより，固定軸１２の第１ヒンジ部と横棒２０の第２ヒンジ２１はパイプ部材３０に囲まれるので，第２ヒンジ部２１は，第１ヒンジ部に関するヒンジ軸で回転することが防止される。このことにより，横棒２０は，旗竿２０に対して垂直に固定された状態となる。
【００３９】
図５は，本発明の第４の実施の形態にかかる旗竿を示す斜視図である。本発明の第４の実施の形態にかかる旗竿１００は，多段の管状部材を有する。第１の管状旗竿部材１０１は，その上端にキャップ１１が搭載されている。固定軸１２は，第２管状旗竿部材１０２の上端に隣接して固定される。横棒２００は，固定軸１２にヒンジ結合されている。パイプ部材３０は，固定軸１２を囲むように，横棒２００の終段にスライディング可能に固定される。ストッパーリング１３は，第１旗竿部材１０１が挿入される第２旗竿部材１０２の下部端に近接装着される。挿入部４１は，旗４０の上端部に形成され，横棒２００は，その長さ方向に沿って形成され，挿入部４１が挿入固定される溝を有している。
【００４０】
横棒２００は，第１管状棒部材２０１と第２管状棒部材２０２から構成される。第２管状棒部材２０２は，第１管状棒部材２０１を挿入及び抜き出されるようにすることができる。
【００４１】
図５において，第１管状旗竿部材１０１は，第２管状旗竿部材１０２から突出した状態を示す。ここで，半旗は第２管状旗竿部材１０２から抜き出した第１管状旗竿部材１０１に掲揚することができる。
【００４２】
換言すれば，旗４０は第２管状旗竿部材１０２より掲揚され，第１管状旗竿部材１０１を第２管状旗竿部材１０２に突出させて，半旗を第２管状旗竿部材１０２から突出した第１管状旗竿部材１０１に掲揚することができる。
【００４３】
例えば，キャップ１１は，むくげの外形として，第１管状旗竿部材１０１の上端部に搭載することができる。旗４０は，旗４０の側面をその上端部及び下端部で第２管状旗竿部材１０２の周囲に装着するようにして，掲揚される。
【００４４】
旗４０は，その挿入部４１を横棒２００の長さ方向に沿って形成された溝に挿入固定することにより，掲揚される。
【００４５】
固定軸１２と横棒２００は，互いにヒンジ結合され，そのヒンジにより横棒２００は旗竿１００と平行に位置するように折り畳み可能であり，旗竿１００を容易に保管することができる。
【００４６】
ストッパーリング１３は，第２管状旗竿部材１０２の下端部で，リボン４２を使用して第２管状旗竿部材１０２に結び付けられた旗４０の下端部置の上部に直接装着される。ストッパーリング１３の存在により，リボン４２が上方に移動するのが防止される。したがって，旗４０の下端部が第２管状旗竿部材１０２の上端部に向けてスライディングせず，旗４０が第２管状旗竿部材１０２に絡まることが防止される。
【００４７】
横棒２００が第２管状旗竿部材１０２に折り畳まれた状態では，横棒２００の第２ヒンジ部２１に近接して形成される，円周溝２２に収容されるスプリング３１は，パイプ部材３０の内周面に形成された内部フランジ３２により圧縮される。
【００４８】
横棒２００が第２管状旗竿部材１０２から展開された状態では，パイプ部材３０は，スプリング３１の弾性力により，横棒２００と固定軸１２の周囲に通常位置するように，第２管状旗竿部材１０２に向けて移動する。このことにより，横棒２００は，第２管状旗竿部材１０２に対して垂直固定される。
【００４９】
横棒２００を形成する第１管状棒部材２０１と第２管状棒部材２０２は，第２管状棒部材２０２が第１管状棒部材２０１に挿入可能に形成される。このことにより，旗竿１００を容易に保管することができる。
【００５０】
図６は，本発明の第４の実施の形態にかかる旗竿を示す部分拡大縦断面図である。図６においては，第１管状旗竿部材１０１が第２管状旗竿部材１０２に挿入され，通常の旗４０が掲揚されている。図６においては，旗竿１００に垂直に表示される直線矢印は，パイプ部材３０の動く方向を示し，その下側の曲線矢印は，横棒２００が折り畳まれる方向を示している。
【００５１】
パイプ部材３０が直線矢印の方向に移動させた状態において，第１ヒンジ部に関するヒンジ軸での第２ヒンジ部の回転を介して，横棒２００は，曲線矢印により示される方向に折り畳まれ，旗竿１００と平行に位置する。
【００５２】
第２ヒンジ部２１は，横棒２００の終端で一体形成され，円周溝２２は，横棒の２００の外周表面に，第２ヒンジ部と近接して形成されている。スプリング３１は，円周溝２２に収容される。
【００５３】
容易に理解するために，円周溝２２が形成される領域上において，スプリング３１が円周溝２２に収容できるように，横棒２００の直径は，多少小さくされている。
【００５４】
パイプ部材３０は，円周溝２２を覆い，スプリング３１を取り付ける。さらに，パイプ部材３０は，横棒２００と固定軸１２に対してスライディング可能に形成されている。
【００５５】
パイプ部材３０は，その内周面に，内部フランジ３２が形成されており，円周溝に収容されたスプリング３１の一端が内部フランジ３２に係止し，それによって，スプリング３１は復元力を有する。その結果，横棒２００が折り畳まれる際に，スプリング３１は，パイプ部材３０を上方に移動させて，横棒２００が容易に折り畳まれた状態を維持させることができる。
【００５６】
横棒２００が展開された状態では，パイプ部材３０がスプリング３１の復元力により，固定軸１２に固定される第２管状旗竿部材１０２まで移動される。このことにより，固定軸１２の第１ヒンジ部と横棒２００の第２ヒンジ部２１はパイプ部材３０に囲まれるようになり，第２ヒンジ部２１は，第１ヒンジ部に関するヒンジ軸で回転することが防止される。このことにより，横棒２００は，第２管状旗竿部材１０２に関して垂直に固定された状態となる。
【００５７】
図７は，本発明の第４の実施の形態にかかる旗竿の横棒の伸縮構造及び折り畳み構造を示す部分拡大斜視図である。図７において，実線は横棒２００が折り畳まれた状態を示し，点線は横棒２００が展開された状態を表す。図７においては，第１管状旗竿部材１０１は，第２管状旗竿部材１０２に挿入され，通常，旗４０は掲揚され，半旗は掲揚されない。
【００５８】
さらに，図７においては，横棒２００の下方に垂直に表示される直線矢印は，第２管状棒部材２０２が第１管状棒部材２０１に挿入される方向を示し，点線で示される横棒２００においては，第２管状棒部材２０２は第１管状棒部材２０１から突出している。
【００５９】
したがって，横棒２００の周囲に固定されたパイプ部材３０が，スプリング３１の弾性力により，固定軸１２の方に向けて動くという事実により，固定軸１２の第１ヒンジ部と横棒２００の第２ヒンジ部２１はパイプ部材３０に囲まれるようになり，第２ヒンジ部２１は，第１ヒンジ部に関するヒンジ軸で回転することが防止される。このことにより，横棒２００は，第２管状旗竿部材１０２に関して垂直に固定された状態となる。
【００６０】
横棒２００を再び折り畳む必要がある場合には，パイプ部材３０は，固定軸１２の第１ヒンジ部及び横棒２０の第２ヒンジ部２１が外側に露出するように，スプリング３１の弾性力に抗して横棒２００に向けて引かれ，その結果，パイプ部材３０内のスプリング３１は，圧縮される。かかる状態では，第２ヒンジ部２１は，第１ヒンジ部に関するヒンジ軸で回転し，横棒２００は，旗竿１０と平行に折り畳まれる。このとき，パイプ部材３０の他端は，固定軸１２の半径方向に係止されるので，横棒２０は，折り畳み状態を維持する。
【００６１】
図８は，本発明の第４の実施の形態にかかる旗竿の使用状態を示す斜視図である。半旗４０の掲揚方法を以下に説明する。最初に，第１管状旗竿部材１０１を第２管状旗竿部材１０２から突出させる。次いで，横棒２００は，第２管状旗竿部材１０２と垂直に位置するように，第２管状旗竿部材１０２から展開され，第２管状棒部材２０２は第１管状棒部材２０１から突出する。さらに，挿入部４１は，横棒２００の長さ方向に形成された溝に装着され，旗４０の上端及び下端は第２管状旗竿部材１０２の周囲に結び付けられる。特に，旗４０の下端部が第２管状旗竿部材１０２の周囲でストッパーリング１３の下部に，リボン４２を使用して結び付けられる。かかる状態において，最下端の管状旗竿部材（即ち，本発明の第４の実施の形態の場合における第３管状旗竿部材１０３を，門５０のソケット５１に挿入することにより，半旗４０を容易に掲揚することができる。
【００６２】
旗竿１００は，３段または４段の管状旗竿部材で構成されるのが好ましい。
【００６３】
旗４０を降ろす場合には，旗竿１００の第３管状旗竿部材１０３を門５０ソケット５１から抜かれる。リボン４２は，第２管状旗竿部材１０２から解かれ，旗４０の挿入部４１を横棒２００の溝から取り出される。旗４０をこのように旗竿１００から外した後，第２管状棒部材２０２が第１管状棒部材２０１に挿入される状態において，パイプ部材３０を旗竿１００から抜かれる。それに関して，横棒２００は，旗竿１００に平行に位置するように折り畳まれる。その後，旗竿１００を縮めることにより，旗竿１００の分解が完了する。
【００６４】
旗４０を掲揚している間，横棒２００は，第２管状旗竿部材１０２に垂直に位置するように展開される。そのとき，パイプ部材３０は，パイプ部材３０中に圧縮されたスプリング３１の弾性力により，旗竿１００の方向に移動し，横棒２００と固定軸１２に通常囲われる。かかる状態において，挿入部４１は，横棒２００の長さ方向に沿って形成された溝に装着され，リボン４２は，旗４０の下端部が第２管状旗竿部材１０２の周囲でストッパーリング１３の下に結び付けられるように，第２管状旗竿部材１０２の周囲に結び付けられる。このことにより，旗４０は，展開された状態を維持することができる。
【００６５】
半旗４０を掲揚する場合において，第１管状旗竿部材１０１が第２管状旗竿部材１０２から突出させることのみが必要である。
【００６６】
産業利用性
上記説明から明らかなように，本発明にかかる旗竿は，横棒が旗竿の上端部に近接接続され，旗の上端部に形成され挿入部が横棒の長さ方向に形成された溝に装着させることができ，旗が旗竿の周囲に絡まることが防止され，最初に掲揚されたように展開された状態を維持することができる。このとき，横棒は折り畳み可能に旗竿に接続されているので，全旗竿が占める大きさが低減され，旗竿の保管が便利になる。
【００６７】
また，本発明は，ストッパーリングが旗竿の周囲に，リボンを使用して旗の下端部が旗竿の周囲に結び付けられた位置上部に直接固定されるという事実により，リボンが上方に移動するのが防止され，旗の下端部が旗竿に対して強固に固定され，従って，旗は，完全に展開された状態が維持される。このように，旗は，最初に掲揚された後，旗は旗竿の周囲に纏わり着くことが防止され，旗の美観がそのまま保持され，旗の寿命が長くなり，旗の掲揚精神が好適に公衆に伝えられる。
【００６８】
また，旗竿が多段の管状旗竿部材から構成され，２つの管状棒部材から構成される横棒が，旗竿に接続されるという事実により，全旗竿が占める体積が最小に低減される。このことにより，ユーザが旗竿を格納しかつ使用する便利性が提供される。
【図面の簡単な説明】
本発明の上記目的，他の特徴及び利点は，図面と結び付けて以下の詳細な説明を読むことによりさらに明らかになろう。図面において：
【図１】
図１は，本発明の第１の実施の形態にかかる旗竿を示す斜視図であり；
【図２】
図２は，本発明の第２の実施の形態にかかる旗竿を示す部分拡縦断面図であり；
【図３】
図３は，本発明の第３の実施の形態にかかる旗竿を示す部分拡大斜視図であり；
【図４】
図４は，本発明の第３の実施の形態にかかる旗竿を示す部分拡縦断面図であり；
【図５】
図５は，本発明の第４の実施の形態にかかる旗竿を示す斜視図であり；
【図６】
図６は，本発明の第４の実施の形態にかかる旗竿を示す部分拡大縦断面図であり；
【図７】
図７は，本発明の第４の実施の形態にかかる旗竿の横棒の伸縮構造及び折り畳み構造を示す部分拡大斜視図であり，
【図８】
図８は，本発明の第４の実施の形態にかかる旗竿の使用状態を示す斜視図である。
【図１】
2004514924.tif 000003
【図２】
2004514924.tif 000004
【図３】
2004514924.tif 000005
【図４】
2004514924.tif 000006
【図５】
2004514924.tif 000007
【図６】
2004514924.tif 000008
【図７】
2004514924.tif 000009
【図８】
2004514924.tif 000010
【国際公開パンフレット】
2004514924.tif 000011
2004514924.tif 000012
2004514924.tif 000013
2004514924.tif 000014
2004514924.tif 000015
2004514924.tif 000016
2004514924.tif 000017
2004514924.tif 000018
2004514924.tif 000019
2004514924.tif 000020
2004514924.tif 000021
2004514924.tif 000022
2004514924.tif 000023
2004514924.tif 000024
2004514924.tif 000025
2004514924.tif 000026
2004514924.tif 000027
2004514924.tif 000028
2004514924.tif 000029
2004514924.tif 000030
2004514924.tif 000031
2004514924.tif 000032
2004514924.tif 000033
2004514924.tif 000034
2004514924.tif 000035
2004514924.tif 000036
2004514924.tif 000037
2004514924.tif 000038
2004514924.tif 000039
2004514924.tif 000040
2004514924.tif 000041
2004514924.tif 000042
2004514924.tif 000043
2004514924.tif 000044
2004514924.tif 000045
2004514924.tif 000046
【手続補正書】
【提出日】平成15年1月24日(2003.1.24)
【手続補正１】
【補正対象書類名】明細書
【補正対象項目名】特許請求の範囲
【補正方法】変更
【補正の内容】
【特許請求の範囲】
【請求項１】
横棒が垂直に連結している旗竿において；前記旗竿は，
前記固定シャフトの自由終端に形成される第１ヒンジ部と；
前記横棒の終端に形成される第２ヒンジ部と；
前記第２ヒンジ部に近接し，前記横棒の外周面に形成される円周溝と；
前記円周溝に収容されるスプリングと；及び
前記横棒の周囲に位置する折り畳み位置と，前記横棒と固定シャフトに通常位置する展開位置との間でスライドするように形成され，
その円周内部表面に内方向フランジが形成され，前記円周溝に収容されたスプリングの一端が内方向フランジに抗して，パイプ部材がスプリングにより展開位置にバイアスするように収容される，前記パイプ部材と，から構成され，
前記固定シャフトの第１ヒンジ部及び横軸の第２ヒンジ部は，ヒンジ軸により，横軸が旗竿からパイプ部材の操作および動作により折り畳み及び展開できるように，互いに連結される，
ことを特徴とする旗竿。
【請求項２】
前記旗竿は，複数の管状旗竿部材で成され，前記横棒は，２番目の管状旗竿部材に垂直に接続される，ことを特徴とする請求項１に記載の旗竿。
【請求項３】
前記横棒は，複数の管状棒部材により構成される，ことを特徴とする請求項１に記載の旗竿。
【請求項４】
ストッパーリングが前記第２管状旗竿部材の下端部に装着され，前記旗の下端部はリボンを使用して前記第２管状旗竿部材の周囲で前記ストッパーリングの下方に直接結び付けられて，前記リボンが上方に移動することが防止され，前記旗の下端部が前記第２管状旗竿部材に対して強固に固定される，
ことを特徴とする請求項２に記載の旗竿。
【国際調査報告】
2004514924.tif 000047